(57)【要約】【課題】  携帯機器の画面に表示させる画像の視認性を高めることができる画像処理装置、携帯機器、画像表示方法、画像表示プログラム及び画像表示システムを提供することを目的とする。【解決手段】  携帯機器の画面に画像１０００を表示させる画像処理装置であって、携帯機器から画像データの表示要求があると、その画像データの領域を指定可能な領域指定画面１０１０を携帯機器の画面に表示させると共に、携帯機器から拡大表示要求のあった画像データの領域１０２０を携帯機器の機器仕様に応じて拡大し、その画面１０３０を携帯機器に表示させる画像処理部を備えたことにより上記課題を解決する。【選択図】  図５
2007086213.tif 000002
【特許請求の範囲】
【請求項１】
携帯機器の画面に画像を表示させる画像処理装置であって、
前記携帯機器から画像データの表示要求があると、その画像データの領域を指定可能な領域指定画面を前記携帯機器の画面に表示させると共に、
前記携帯機器から拡大表示要求のあった前記画像データの領域を前記携帯機器の機器仕様に応じて拡大し、前記携帯機器に表示させる画像処理部を備えた画像処理装置。
【請求項２】
前記画像処理部は、前記携帯機器から画像データの表示要求があると、その画像データを分割した領域画像データを前記携帯機器の機器仕様に応じて縮小し、縮小済みの前記領域画像データ及び前記領域画像データの座標を前記携帯機器に送信して、前記画像データの領域を前記領域画像データの座標により指定可能な前記領域指定画面を前記携帯機器の画面に表示させることを特徴とする請求項１記載の画像処理装置。
【請求項３】
前記画像処理部は、前記携帯機器から画像データの表示要求があると、その画像データを分割した領域画像データの名称リストを前記携帯機器に送信して、前記画像データの領域を前記領域画像データの名称により指定可能な前記領域指定画面を前記携帯機器の画面に表示させることを特徴とする請求項１記載の画像処理装置。
【請求項４】
前記携帯機器の機器仕様は、画像表示に関する仕様および操作に関する仕様であることを特徴とする請求項１乃至３何れか一項記載の画像処理装置。
【請求項５】
前記画像処理部は、前記携帯機器から画像データの表示要求があると、その画像データの全体画像サイズおよび前記携帯機器の機器仕様を取得し、前記全体画像サイズおよび前記携帯機器の機器仕様に基づいて画像縮小率を算出して、前記領域画像データを前記画像縮小率に基づいて縮小することを特徴とする請求項２記載の画像処理装置。
【請求項６】
画像処理装置から受信した画像を自機の画面に表示させる携帯機器であって、
前記画像処理装置から画像データを受信し、その画像データの領域を指定可能な領域指定画面を自機の画面に表示させると共に、
自機の操作部から拡大表示要求のあった前記画像データの領域を自機の機器仕様に応じて拡大し、自機の画面に表示させる画像処理部を備えた携帯機器。
【請求項７】
前記画像処理部は、前記操作部から画像データの表示要求があると、その画像データを分割した領域画像データを自機の機器仕様に応じて縮小し、前記画像データの領域を前記領域画像データの座標により指定可能な前記領域指定画面を自機の画面に表示させることを特徴とする請求項６記載の携帯機器。
【請求項８】
前記画像処理部は、前記操作部から画像データの表示要求があると、前記画像データの領域を前記領域画像データの名称により指定可能な前記領域指定画面を自機の画面に表示させることを特徴とする請求項６記載の携帯機器。
【請求項９】
前記機器仕様は、画像表示に関する仕様および操作に関する仕様であることを特徴とする請求項６乃至８何れか一項記載の携帯機器。
【請求項１０】
携帯機器の画面に画像を表示させる画像処理装置の画像表示方法であって、
前記携帯機器から画像データの表示要求があると、その画像データの領域を指定可能な領域指定画面を前記携帯機器の画面に表示させる第１ステップと、
前記携帯機器から拡大表示要求のあった前記画像データの領域を前記携帯機器の機器仕様に応じて拡大し、前記携帯機器に表示させる第２ステップと
を備えた画像表示方法。
【請求項１１】
前記第１ステップは、前記画像データを分割した領域画像データを前記携帯機器の機器仕様に応じて縮小するステップと、
縮小済みの前記領域画像データ及び前記領域画像データの座標を前記携帯機器に送信して、前記画像データの領域を前記領域画像データの座標により指定可能な前記領域指定画面を前記携帯機器の画面に表示させるステップとを有することを特徴とする請求項１０記載の画像表示方法。
【請求項１２】
前記第１ステップは、前記画像データを分割した領域画像データの名称リストを前記携帯機器に送信して、前記画像データの領域を前記領域画像データの名称により指定可能な前記領域指定画面を前記携帯機器の画面に表示させることを特徴とする請求項１記載の画像処理装置。
【請求項１３】
画像処理装置から受信した画像を自機の画面に表示させる携帯機器の画像表示方法であって、
前記画像処理装置から画像データを受信し、その画像データの領域を指定可能な領域指定画面を自機の画面に表示させる第１ステップと、
自機の操作部から拡大表示要求のあった前記画像データの領域を自機の機器仕様に応じて拡大し、自機の画面に表示させる第２ステップと
を備えた画像表示方法。
【請求項１４】
前記第１ステップは、前記画像データを分割した領域画像データを自機の機器仕様に応じて縮小するステップと、
前記画像データの領域を前記領域画像データの座標により指定可能な前記領域指定画面を自機の画面に表示させるステップとを有することを特徴とする請求項１３記載の画像表示方法。
【請求項１５】
前記第１ステップは、前記画像データの領域を前記領域画像データの名称により指定可能な前記領域指定画面を自機の画面に表示させることを特徴とする請求項１３記載の画像表示方法。
【請求項１６】
携帯機器の画面に画像を表示させる画像処理装置を、
前記携帯機器から画像データの表示要求があると、その画像データの領域を指定可能な領域指定画面を前記携帯機器の画面に表示させると共に、
前記携帯機器から拡大表示要求のあった前記画像データの領域を前記携帯機器の機器仕様に応じて拡大し、前記携帯機器に表示させる画像処理部
として機能させる為の画像表示プログラム。
【請求項１７】
画像処理装置から受信した画像を自機の画面に表示させる携帯機器を、
前記画像処理装置から画像データを受信し、その画像データの領域を指定可能な領域指定画面を自機の画面に表示させると共に、
自機の操作部から拡大表示要求のあった前記画像データの領域を自機の機器仕様に応じて拡大し、自機の画面に表示させる画像処理部
として機能させる為の画像表示プログラム。
【請求項１８】
携帯機器と画像処理装置とが通信可能に接続されており、前記画像処理装置が前記携帯機器の画面に画像を表示させる画像表示システムであって、
前記画像処理装置は、前記携帯機器から画像データの表示要求があると、その画像データの領域を指定可能な領域指定画面を前記携帯機器の画面に表示させると共に、
前記携帯機器から拡大表示要求のあった前記画像データの領域を前記携帯機器の機器仕様に応じて拡大し、前記携帯機器に表示させることを特徴とする画像表示システム。
【請求項１９】
携帯機器と画像処理装置とが通信可能に接続されており、前記画像処理装置が前記携帯機器の画面に画像を表示させる画像表示システムであって、
前記携帯機器は、前記画像処理装置から画像データを受信し、その画像データの領域を指定可能な領域指定画面を自機の画面に表示させると共に、
自機の操作部から拡大表示要求のあった前記画像データの領域を自機の機器仕様に応じて拡大し、自機の画面に表示させることを特徴とする画像表示システム。
【発明の詳細な説明】
【技術分野】
【０００１】
本発明は、画像処理装置、携帯機器、画像表示方法、画像表示プログラム及び画像表示システムに係り、特に携帯機器の画面に画像を表示させる画像処理装置、携帯機器、画像表示方法、画像表示プログラム及び画像表示システムに関する。
【背景技術】
【０００２】
近年、画像処理装置の一例としての複合機（ＭＦＰ）は、ネットワークＩ／Ｆを搭載することで、携帯電話やＰＤＡ（個人向け携帯情報端末）等の携帯機器との通信ができるようになっている。このような複合機では、例えば様々な画像の画像データ（以下、単に画像という）を携帯機器に送信し、携帯機器の画面に画像を表示させるものがあった（例えば特許文献１参照）。
【特許文献１】特開２００４−１６４６２３号公報
【発明の開示】
【発明が解決しようとする課題】
【０００３】
通常、携帯電話やＰＤＡ等の携帯機器が画像を表示する液晶パネル等の画面は、小さく且つ有効画素数が少ない。従って、従来の複合機にはプレビュー等の画像を携帯機器の画面に表示させる場合に、画像のサムネイル画像を利用するものがあった。なお、サムネイル画像とは元画像を縮小した画像であって、元画像を大雑把に提示する画像である。
【０００４】
しかしながら、サムネイル画像は元画像を単純に縮小しただけの画像であって、携帯機器の画面にそのまま表示させると、絵柄や文字が小さく何が記載されているか分かりづらいという問題があった。
【０００５】
本発明は、上記の点に鑑みなされたもので、携帯機器の画面に表示させる画像の視認性を高めることができる画像処理装置、携帯機器、画像表示方法、画像表示プログラム及び画像表示システムを提供することを目的とする。
【課題を解決するための手段】
【０００６】
上記課題を解決するため、本発明は、携帯機器の画面に画像を表示させる画像処理装置であって、前記携帯機器から画像データの表示要求があると、その画像データの領域を指定可能な領域指定画面を前記携帯機器の画面に表示させると共に、前記携帯機器から拡大表示要求のあった前記画像データの領域を前記携帯機器の機器仕様に応じて拡大し、前記携帯機器に表示させる画像処理部を備えたことを特徴とする。
【０００７】
また、本発明は、画像処理装置から受信した画像を自機の画面に表示させる携帯機器であって、前記画像処理装置から画像データを受信し、その画像データの領域を指定可能な領域指定画面を自機の画面に表示させると共に、自機の操作部から拡大表示要求のあった前記画像データの領域を自機の機器仕様に応じて拡大し、自機の画面に表示させる画像処理部を備えたことを特徴とする。
【０００８】
また、上記課題を解決するため、本発明は、上記画像処理装置および携帯機器における画像表示方法，画像表示プログラム、上記画像処理装置および携帯機器による画像表示システムとしてもよい。
【発明の効果】
【０００９】
本発明によれば、携帯機器の画面に表示させる画像の視認性を高めることができる画像処理装置、携帯機器、画像表示方法、画像表示プログラム及び画像表示システムを提供可能である。
【発明を実施するための最良の形態】
【００１０】
次に、本発明を実施するための最良の形態を、以下の実施例に基づき図面を参照しつつ説明していく。本実施例では、画像処理装置の一例として複合機を例に説明するが、携帯機器の画面に画像を表示させる如何なる画像処理装置であってもよい。
【００１１】
なお、本発明では元画像を領域に分割し、各領域に分割された画像データ（以下、領域画像データという）及び領域画像データの座標を用いて、指定領域の拡大表示が可能な縮小画像（以下、スマートネイル画像という）を利用する。スマートネイル画像は、指定領域の拡大表示が可能である為、指定領域に何が記載されているかが分かり易い。なお、スマートネイル画像についての詳細は、特開２００４−２３４６５６号公報等に記載されている。
【実施例１】
【００１２】
図１は、本発明による複合機及び携帯機器が直接接続された画像表示システムの一例のハードウェア構成図である。図１の画像表示システムは、複合機１０と携帯電話やＰＤＡ等の携帯機器２０とが、直接通信可能に接続されている。なお、図１の画像表示システムは図２の画像表示システムのように構成してもよい。図１，図２の画像表示システムでは実施例の説明に不用なブロックを適宜省略している。
【００１３】
図２は、本発明による複合機及び携帯機器が間接接続された画像表示システムの一例のハードウェア構成図である。図２の画像表示システムは、複合機１０と携帯電話やＰＤＡ等の携帯機器２０とが、インターネット等のネットワーク３０経由で間接通信可能に接続されている。図２の画像表示システムは、複合機１０及び携帯機器２０が間接通信可能に接続されている点で、複合機１０及び携帯機器２０が直接通信可能に接続されている図１の画像表示システムと異なっている。その他、図１及び図２の画像表示システムのハードウェア構成は同様である為、図２の画像表示システムについての説明を省略する。
【００１４】
図１の複合機１０は、ネットワークＩ／Ｆ１１，画像蓄積部１２を含む構成である。ネットワークＩ／Ｆ１１は、携帯機器２０との通信を可能にする。画像蓄積部１２は、大量のイメージデータ等を蓄積する記憶場所として利用される。図１の携帯機器２０は、表示部２１，操作部２２，画像処理部２３，画像記憶部２４，ネットワークＩ／Ｆ２５を含む構成である。表示部２１及び操作部２２は、操作者とのＩ／Ｆを司る。画像処理部２３は画像処理を司る。画像記憶部２４は、一時的な画像記憶場所として利用される。また、ネットワークＩ／Ｆ２５は複合機１０との通信を可能にする。
【００１５】
なお、本発明の画像表示プログラムは、携帯機器２０を制御する各種プログラムの少なくとも一部である。画像表示プログラムは、例えば図３のようなソフトウェア構成を実現する。
【００１６】
図３は、本発明による携帯機器の一例のソフトウェア構成図である。図３の携帯機器２０のソフトウェア構成は、プロファイル１００，仮想マシン１１０，オペレーションシステム（ＯＳ）１２０を含む構成である。
【００１７】
プロファイル１００は、ＵＩ制御に関する設定情報，画像処理制御に関する設定情報およびネットワーク制御に関する設定情報を含む。ＯＳ１２０上に構築された仮想マシン１１０は、プロファイル１００を読み込んでＵＩ制御、画像処理制御およびネットワーク制御を実行する。
【００１８】
次に、本発明による画像表示システムの画像表示手順について説明する。図４は本発明による画像表示システムの画像表示手順を表した一例のシーケンス図である。例えば携帯機器２０の操作者は複合機１０に蓄積されている蓄積画像を携帯機器２０の表示部２１に表示させたいとき、蓄積画像を表示させる為の操作を操作部２２に対して行なう。ステップＳ１に進み、操作部２２は操作者からの蓄積画像表示要求を受け付ける。
【００１９】
ステップＳ２に進み、操作部２２はネットワークＩ／Ｆ２５経由で蓄積画像表示要求を複合機１０に送信する。また、複合機１０の画像蓄積部１２はネットワークＩ／Ｆ１１経由で携帯機器２０からの蓄積画像表示要求を受信する。なお、携帯機器２０と複合機１０との通信はネットワークＩ／Ｆ２５及びネットワークＩ／Ｆ１１経由で行なうが、以下省略する。
【００２０】
ステップＳ３に進み、複合機１０の画像蓄積部１２は蓄積画像表示要求に対応する蓄積画像の領域画像データおよび領域画像データの座標を携帯機器２０の画像処理部２３に送信する。ステップＳ４に進み、画像処理部２３は機器仕様の一例として例えば表示部２１の液晶サイズに合うように領域画像データの座標を変換する。
【００２１】
ステップＳ５に進み、画像処理部２３は画像記憶部２４に画像記憶要求を行い、蓄積画像表示要求に対応する蓄積画像の領域画像データおよびステップＳ４で変換した領域画像データの座標（以下、変換済み座標という）を画像記憶部２４に記憶させる。ステップＳ６に進み、画像記憶部２４は蓄積画像表示要求に対応する蓄積画像の領域画像データおよび変換済み座標を用いて、図５のようなＵＩ１０００を表示部２１に表示する。
【００２２】
図５は、表示部に表示されるＵＩの一例のイメージ図である。ＵＩ１０００は、蓄積画像表示要求に対応する蓄積画像の領域画像データおよび変換済み座標を用いて作成された縮小画像１０１０と、縮小画像１０１０上の領域を指定するカーソル１０２０と、指定された領域（以下、指定領域という）を拡大表示する拡大表示ウインドウ１０３０とを含む構成である。図５は、領域が指定されていない例であり、拡大表示ウインドウ１０３０に何も表示されていない。
【００２３】
携帯機器２０の操作者は拡大表示したい領域が縮小画像１０１０上にあれば、その領域にカーソル１０２０を移動させて決定キー１０４０を押下する。ステップＳ７に進み、操作部２２は操作者から指定領域を受け付ける。
【００２４】
ステップＳ８に進み、操作部２２は指定領域の座標を含む拡大表示要求を画像処理部２３に送信する。ステップＳ９に進み、画像処理部２３は指定領域の座標を含む画像取得要求を画像記憶部２４に送信する。ステップＳ１０に進み、画像記憶部２４は指定領域の座標に基づく領域画像データを画像処理部２３に送信する。
【００２５】
ステップＳ１１に進み、画像処理部２３は画像記憶部２４から受信した指定領域の領域画像データを、機器仕様の一例として例えば表示部２１の液晶サイズに合うように拡大処理する。ステップＳ１２に進み、画像処理部２３は拡大処理された領域画像データを用いて、図６のようなＵＩ１１００を表示部２１に表示する。
【００２６】
図６は、指定領域が拡大表示されたＵＩの一例のイメージ図である。図６は、領域が指定されている例であり、拡大表示ウインドウ１０３０に拡大処理された領域画像が表示されている。
【００２７】
したがって、携帯機器２０の操作者は重要な領域画像を指定して、指定領域を拡大表示することができるので、携帯機器２０の画面に表示させる画像の視認性を高めることができる。
【００２８】
図１及び図２の画像表示システムは、図７及び図８のように構成してもよい。図７は本発明による複合機及び携帯機器が直接接続された画像表示システムの他の例のハードウェア構成図である。図８は本発明による複合機及び携帯機器が間接接続された画像表示システムの他の例のハードウェア構成図である。
【００２９】
図７及び図８の画像表示システムは、携帯機器２０の代わりに複合機１０が画像処理部１３を有し、携帯機器２０が機器仕様記憶部２６を有する点で、図１及び図２の画像表示システムと異なっている。その他、図７及び図８のブロック図は図１及び図２のブロック図と同様である。
【００３０】
機器仕様記憶部２６は、携帯機器２０の機器仕様を記憶している。図９は携帯機器の機器仕様の一例のデータ構造図である。図９の機器仕様は、液晶サイズ，液晶解像度およびカーソルキーの有無を含むように構成されている。
【００３１】
なお、図７及び図８の場合、画像表示プログラムが実現するソフトウェア構成は、例えば図３のソフトウェア構成からプロファイル１００に含まれる画像処理制御に関する設定情報が除かれた構成となる。
【００３２】
次に、本発明による画像表示システムの画像表示手順について説明する。図１０は本発明による画像表示システムの画像表示手順を表した他の例のシーケンス図である。例えば携帯機器２０の操作者は複合機１０に蓄積されている蓄積画像を携帯機器２０の表示部２１に表示させたいとき、蓄積画像を表示させる為の操作を操作部２２に対して行なう。ステップＳ２１に進み、操作部２２は操作者からの蓄積画像表示要求を受け付ける。
【００３３】
ステップＳ２２に進み、操作部２２は複合機１０の画像蓄積部１２に蓄積画像表示要求を送信する。ステップＳ２３に進み、画像蓄積部１２は携帯機器２０の機器仕様記憶部２６に機器仕様取得要求を送信する。ステップＳ２４に進み、機器仕様記憶部２６は例えば図９の液晶サイズ，液晶解像度およびカーソルキーの有無を機器仕様として画像蓄積部１２に送信する。
【００３４】
ステップＳ２５に進み、画像蓄積部１２は蓄積画像表示要求に対応する蓄積画像の画像データ，領域画像データおよびステップＳ２４で受信した機器仕様を画像処理部１３に送信する。ステップＳ２６に進み、画像処理部１３は図１１に示す画像縮小処理を行う。
【００３５】
図１１は、画像縮小処理を表す一例のフローチャートである。蓄積画像表示要求に対応する蓄積画像の画像データおよび携帯機器２０の機器仕様を受信すると、画像処理部１３はステップＳ１００に進み、蓄積画像表示要求に対応する蓄積画像の全体画像サイズを取得する。ステップＳ１０１に進み、画像処理部１３は携帯機器２０の機器仕様から液晶サイズおよび液晶解像度を取得する。
【００３６】
ステップＳ１０２に進み、画像処理部１３はステップＳ１００で取得した全体画像サイズとステップＳ１０１で取得した携帯機器２０の機器仕様である液晶サイズおよび液晶解像度に基づき、画像縮小率を算出する。ステップＳ１０３に進み、画像処理部１３は領域画像データの座標を取得する。
【００３７】
ステップＳ１０４に進み、画像処理部１３はステップＳ１０２で算出した画像縮小率に基づき、領域画像データを縮小する。ステップＳ１０５に進み、画像処理部１３はステップＳ１０２で算出した画像縮小率に基づき、縮小後の領域画像データの座標（以下、変換済み座標という）を算出する。
【００３８】
ステップＳ１０６に進み、画像処理部１３は全ての領域画像の処理が終了したか否かを判定する。全ての領域画像の処理が終了していなければ、画像処理部１３はステップＳ１０３に戻る。一方、全ての領域画像の処理が終了していれば、画像処理部１３は図１１のフローチャートに表す処理を終了する。
【００３９】
図１０のステップＳ２７に進み、画像処理部１３は縮小後の領域画像データと変換済み座標とを画像蓄積部１２に送信する。ステップＳ２８に進み、画像処理部１３は縮小後の領域画像データおよび変換済み座標を用いて、図５又は図１２のようなＵＩ１０００又は２０００を携帯機器２０の表示部２１に表示する。
【００４０】
画像処理部１３は携帯機器２０の機器仕様からカーソルキーの有無を取得し、カーソルキー有ならば携帯機器２０の表示部２１に図５のようなカーソル１０２０を有するＵＩ１０００を表示し、カーソルキー無ならば図１２のような領域インデックス２０２０を有するＵＩ２０００を表示する。
【００４１】
図１２は、表示部に表示されるＵＩの他の例のイメージ図である。ＵＩ２０００は、縮小後の領域画像データおよび変換済み座標を用いて作成された縮小画像２０１０と、縮小画像２０１０上の領域を指定する為の領域インデックス２０２０と、指定領域を拡大表示する拡大表示ウインドウ２０３０とを含む構成である。図１２は、領域が指定されていない例であり、拡大表示ウインドウ２０３０に何も表示されていない。
【００４２】
図１２の縮小画像２０１０では、領域インデックス２０２０の一例として例えば携帯機器２０の操作部２２から選択可能な数字「１〜９」と記号「＊」とが領域画像ごとに割り当てられている。携帯機器２０の操作者は、操作部２２から数字「１〜９」，記号「＊」を選択することにより、縮小画像２０１０上の領域を指定できる。
【００４３】
携帯機器２０の操作者は拡大表示したい領域が縮小画像２０１０上にあれば、その領域に割り当てられている数字「１〜９」，記号「＊」を選択したあと、決定キー２０４０を押下する。ステップＳ２９に進み、操作部２２は操作者から指定領域を受け付ける。
【００４４】
ステップＳ３０に進み、操作部２２は指定領域の座標を含む拡大表示要求を複合機１０の画像処理部１３に送信する。ステップＳ３１に進み、画像処理部１３は指定領域の座標を含む画像取得要求を画像蓄積部１２に送信する。ステップＳ３２に進み、画像蓄積部１２は指定領域の座標に基づく領域画像データを画像処理部１３に送信する。
【００４５】
ステップＳ３３に進み、画像処理部１３は画像蓄積部１２から受信した指定領域の領域画像データを、機器仕様の一例として例えば表示部２１の液晶サイズに合うように拡大処理する。ステップＳ３４に進み、画像処理部１３は拡大処理された領域画像データを用いて、図１３のようなＵＩ２１００を携帯機器２０の表示部２１に表示する。
【００４６】
図１３は、指定領域が拡大表示されたＵＩの他の例のイメージ図である。図１３は、領域が指定されている例であり、拡大表示ウインドウ２０３０に拡大処理された領域画像が表示されている。
【００４７】
したがって、携帯機器２０の操作者は重要な領域画像を指定して、指定領域を拡大表示することができるので、携帯機器２０の画面に表示させる画像の視認性を高めることができる。
【実施例２】
【００４８】
実施例２におけるハードウェア構成図およびソフトウェア構成図は、実施例１と同様であるため、説明を省略する。次に、ハードウェア構成が図１及び図２である画像表示システムの画像表示手順について説明する。
【００４９】
図１４は本発明による画像表示システムの画像表示手順を表した一例のシーケンス図である。例えば携帯機器２０の操作者は複合機１０に蓄積されている蓄積画像を携帯機器２０の表示部２１に表示させたいとき、蓄積画像を表示させる為の操作を操作部２２に対して行なう。ステップＳ４１に進み、操作部２２は操作者からの蓄積画像表示要求を受け付ける。
【００５０】
ステップＳ４２に進み、操作部２２は蓄積画像表示要求を複合機１０の画像蓄積部１２に送信する。ステップＳ４３に進み、複合機１０の画像蓄積部１２は蓄積画像表示要求に対応する蓄積画像の領域画像データおよび領域画像データの名称を携帯機器２０の画像記憶部２４に送信する。ステップＳ４４に進み、画像記憶部２４は蓄積画像表示要求に対応する蓄積画像の領域画像データの名称を用いて、図１５のようなＵＩ３０００を表示部２１に表示する。
【００５１】
図１５は表示部に表示されるＵＩの一例のイメージ図である。ＵＩ３０００は、蓄積画像表示要求に対応する蓄積画像の領域画像データの名称リスト３０１０と、名称リスト３０１０上から領域画像の名称を指定するカーソル３０２０とを含む構成である。携帯機器２０の操作者は拡大表示したい領域画像の名称が名称リスト３０１０上にあれば、その領域画像の名称にカーソル３０２０を移動させて決定キー３０３０を押下する。ステップＳ４５に進み、操作部２２は操作者から指定された領域画像の名称を受け付ける。
【００５２】
ステップＳ４６に進み、操作部２２は指定された領域画像の名称を含む拡大表示要求を画像処理部２３に送信する。ステップＳ４７に進み、画像処理部２３は指定された領域画像の名称を含む画像取得要求を画像記憶部２４に送信する。ステップＳ４８に進み、画像記憶部２４は指定された領域画像の名称に基づく領域画像データを画像処理部２３に送信する。
【００５３】
ステップＳ４９に進み、画像処理部２３は画像記憶部２４から受信した領域画像データを機器仕様の一例として例えば表示部２１の液晶サイズに合うように拡大処理する。ステップＳ５０に進み、画像処理部２３は拡大処理された領域画像データを用いて、図１６のようなＵＩ３１００を表示部２１に表示する。図１６は、指定領域が拡大表示されたＵＩの一例のイメージ図である。図１６は、拡大表示ウインドウ３１１０に拡大処理された領域画像が表示されている。
【００５４】
したがって、携帯機器２０の操作者は重要な領域画像を指定して、指定領域を拡大表示することができるので、携帯機器２０の画面に表示させる画像の視認性を高めることができる。
【００５５】
さらに、ハードウェア構成が図７及び図８である画像表示システムの画像表示手順について説明する。図１７は本発明による画像表示システムの画像表示手順を表した他の例のシーケンス図である。例えば携帯機器２０の操作者は複合機１０に蓄積されている蓄積画像を携帯機器２０の表示部２１に表示させたいとき、蓄積画像を表示させる為の操作を操作部２２に対して行なう。ステップＳ６１に進み、操作部２２は操作者からの蓄積画像表示要求を受け付ける。
【００５６】
ステップＳ６２に進み、操作部２２は複合機１０の画像蓄積部１２に蓄積画像表示要求を送信する。ステップＳ６３に進み、画像蓄積部１２は蓄積画像表示要求に対応する蓄積画像の領域画像データの名称を用いて、図１５のようなＵＩ３０００を携帯機器２０の表示部２１に表示させる。携帯機器２０の操作者は拡大表示したい領域画像の名称が名称リスト３０１０上にあれば、その領域画像の名称にカーソル３０２０を移動させて決定キー３０３０を押下する。
【００５７】
ステップＳ６４に進み、操作部２２は操作者から指定された領域画像の名称を受け付ける。ステップＳ６５に進み、操作部２２は指定された領域画像の名称を含む拡大表示要求を複合機１０の画像処理部１３に送信する。ステップＳ６６に進み、画像処理部１３は指定された領域画像の名称を含む画像取得要求を画像蓄積部１２に送信する。ステップＳ６７に進み、画像蓄積部１２は指定された領域画像の名称に基づく領域画像データを画像処理部１３に送信する。
【００５８】
ステップＳ６８に進み、画像処理部１３は携帯機器２０の機器仕様記憶部２６に機器仕様取得要求を送信する。ステップＳ６９に進み、機器仕様記憶部２６は液晶サイズ，液晶解像度を機器仕様として複合機１０の画像処理部１３に送信する。
【００５９】
ステップＳ７０に進み、画像処理部１３は画像蓄積部１２から受信した領域画像データを携帯機器２０の機器仕様である液晶サイズ，液晶解像度に基づき、拡大処理する。ステップＳ７１に進み、画像処理部１３は拡大処理された領域画像データを用いて、図１６のようなＵＩ３１００を携帯機器２０の表示部２１に表示する。
【００６０】
したがって、携帯機器２０の操作者は重要な領域画像を指定して、指定領域を拡大表示することができるので、携帯機器２０の画面に表示させる画像の視認性を高めることができる。
【００６１】
本発明では、携帯機器２０の画面にスマートネイル画像を表示させることにより、操作者が拡大表示したい領域画像を指定して指定領域を拡大表示することができるので、操作者が重要と考える領域画像の視認性を容易に高めることが可能である。
【００６２】
本発明は、具体的に開示された実施例に限定されるものではなく、特許請求の範囲から逸脱することなく、種々の変形や変更が可能である。
【図面の簡単な説明】
【００６３】
【図１】本発明による複合機及び携帯機器が直接接続された画像表示システムの一例のハードウェア構成図である。
【図２】本発明による複合機及び携帯機器が間接接続された画像表示システムの一例のハードウェア構成図である。
【図３】本発明による携帯機器の一例のソフトウェア構成図である。
【図４】本発明による画像表示システムの画像表示手順を表した一例のシーケンス図である。
【図５】表示部に表示されるＵＩの一例のイメージ図である。
【図６】指定領域が拡大表示されたＵＩの一例のイメージ図である。
【図７】本発明による複合機及び携帯機器が直接接続された画像表示システムの他の例のハードウェア構成図である。
【図８】本発明による複合機及び携帯機器が間接接続された画像表示システムの他の例のハードウェア構成図である。
【図９】携帯機器の機器仕様の一例のデータ構造図である。
【図１０】本発明による画像表示システムの画像表示手順を表した他の例のシーケンス図である。
【図１１】画像縮小処理を表す一例のフローチャートである。
【図１２】表示部に表示されるＵＩの他の例のイメージ図である。
【図１３】指定領域が拡大表示されたＵＩの他の例のイメージ図である。
【図１４】本発明による画像表示システムの画像表示手順を表した一例のシーケンス図である。
【図１５】表示部に表示されるＵＩの一例のイメージ図である。
【図１６】指定領域が拡大表示されたＵＩの一例のイメージ図である。
【図１７】本発明による画像表示システムの画像表示手順を表した他の例のシーケンス図である。
【符号の説明】
【００６４】
１０    複合機
１１，２５    ネットワークＩ／Ｆ
１２    画像蓄積部
１３，２３    画像処理部
２０    携帯機器
２１    表示部
２２    操作部
２４    画像記憶部
２６    機器仕様記憶部
１００    プロファイル
１１０    仮想マシン
１２０    オペレーティングシステム（ＯＳ）
１０００，２０００，３０００，３１００    ユーザＩ／Ｆ（ＵＩ）
【図１】
2007086213.tif 000003
【図２】
2007086213.tif 000004
【図３】
2007086213.tif 000005
【図４】
2007086213.tif 000006
【図５】
2007086213.tif 000007
【図６】
2007086213.tif 000008
【図７】
2007086213.tif 000009
【図８】
2007086213.tif 000010
【図９】
2007086213.tif 000011
【図１０】
2007086213.tif 000012
【図１１】
2007086213.tif 000013
【図１２】
2007086213.tif 000014
【図１３】
2007086213.tif 000015
【図１４】
2007086213.tif 000016
【図１５】
2007086213.tif 000017
【図１６】
2007086213.tif 000018
【図１７】
2007086213.tif 000019